(57)【特許請求の範囲】
【請求項１】
内蔵メモリに記録された画像データを再生する再生部と、前記再生部で再生された画像データを表示する表示部と、前記表示部で表示された画像データから印画する画像データを選択する操作部とを備えるデジタルスチルカメラと、
前記デジタルスチルカメラとケーブルにより接続され、前記内蔵メモリに記録された画像データおよび前記操作部で選択された画像データのプリント出力情報ファイルを読み出す読み出し手段と、前記読み出し手段で読み出されたプリント出力情報ファイルを解析する解析部と、前記読み出し手段で読み出された画像データを印画する印画部とを備えるプリンタとから構成され、
前記読み出し手段が前記プリント出力情報ファイルを前記デジタルスチルカメラから前記ケーブルを介して読み出すと、前記解析部は前記読み出し手段で読み出されたプリント出力情報ファイルを解析し、前記読み出し手段は前記解析部で解析された結果にしたがって前記内蔵メモリに記録された画像データを前記ケーブルを介して読み出し、前記印画部は前記読み出し手段で読み出された画像データを印画するよう構成したことを特徴とするプリント出力システム。
【請求項２】
デジタルスチルカメラの内蔵メモリが画像データを記録する第１のステップと、
前記デジタルスチルカメラの再生部が前記内蔵メモリに記録された画像データを再生する第２のステップと、
前記デジタルスチルカメラの表示部が前記再生部で再生された画像データを表示する第３のステップと、
前記デジタルスチルカメラの操作部が、前記表示部に表示された画像データの中から印画する画像データを選択する第４のステップと、
プリンタの読み出し手段が、前記操作部で選択された画像データのプリント出力情報ファイルを前記デジタルスチルカメラからケーブルを介して読み出す第５のステップと、
前記プリンタの解析部が、前記読み出し手段で読み出されたプリント出力情報ファイルを解析する第６のステップと、
前記読み出し手段が、前記解析部で解析された結果にしたがって、前記内蔵メモリに前記記録媒体に記録された画像データを前記ケーブルを介して読み出す第７のステップと、
前記プリンタの印画部が、前記読み出し部で読み出された画像データを印画する第８のステップとを有するプリント出力方法。
【請求項３】
プリンタとケーブルで接続されるデジタルスチルカメラにおいて、
前記デジタルスチルカメラの内蔵メモリに記録された画像データを再生する再生部と、
前記再生部で再生された画像データを表示する表示部と、前記表示部で表示された画像データから印画する画像データを選択する操作部とを備え、
前記プリンタによって、前記操作部で選択された画像データのプリント出力情報ファイルが前記ケーブルを介して読み出されると、前記ケーブルを介して読み出されたプリント出力情報ファイルが解析され、前記内蔵メモリに記録された画像データが前記プリント出力情報ファイルの解析結果にしたがって前記ケーブルを介して読み出されるよう構成したことを特徴とするデジタルスチルカメラ。
【請求項４】
デジタルスチルカメラとケーブルで接続されるプリンタにおいて、
前記デジタルスチルカメラの内蔵メモリに記録された画像データおよび前記内蔵メモリに記録された画像データの中から選択された画像データのプリント出力情報ファイルを前記ケーブルを介して読み出す読み出し手段と、前記読み出し手段で読み出されたプリント出力情報ファイルを解析する解析部と、前記読み出し手段で読み出された画像データを印画する印画部とを備え、
前記読み出し手段が前記デジタルスチルカメラから前記プリント出力情報ファイルをケーブルを介して読み出すと、前記解析部は前記読み出し手段で読み出されたプリント出力情報ファイルを解析し、前記読み出し手段は前記解析部で解析された結果にしたがって前記内蔵メモリに記録された画像データを読み出し、前記印画部は前記読み出し手段で読み出された画像データを印画するよう構成したことを特徴とするプリンタ。
【発明の詳細な説明】
【０００１】
【発明の属する技術分野】
本発明は、デジタル・スチル・カメラ（以下、ＤＳＣと記す）等の撮像装置で撮影した画像ファイルのプリント出力システムに関するものである。
【０００２】
【従来の技術】
近年、画像ファイルのプリント出力システムはＤＳＣの普及に伴って、個人で簡単にプリント出力できるか、銀塩フィルムカメラのように手軽に安価でプリント出力サービスを利用できることが要望されている。
【０００３】
以下に従来の画像ファイルのプリント出力システムについて説明する。
図２（ａ）は従来の画像ファイルのプリント出力システムの構成を示すブロック図である。図２（ａ）において、１は被写体の撮影をデジタル信号処理により行うＤＳＣ、２はＤＳＣ１で撮影した映像信号を取り込むパーソナル・コンピュータ（以下、パソコンと記す）、３はパソコン２に接続しＤＳＣ１から取り込んだ画像信号を印画出力するプリンタである。
【０００４】
図２（ｂ）は従来のＤＳＣのブロック図を示すものである。図２（ｂ）において、４はレンズから入力した画像データを撮像処理する撮像部、５は撮像部４で撮像された画像データを記録する記録媒体で、例えばコンパクトフラッシュカードやフロッピーディスクなどがある。６は記録媒体５に記録された画像データを再生する再生部、７は撮像部４で撮影された画像や再生部６で再生した画像を表示する表示部である。
【０００５】
図２（ｃ）は従来のプリンタのブロック図である。図２（ｃ）において、８はパソコン２とデータ通信を行う通信制御部、９はパソコン２からのデータを蓄える記憶手段であるメモリ、１０はメモリ９で記憶された画像データを印画するプリント部である。
【０００６】
以上のように構成された従来の画像ファイルのプリント出力システムについて、以下その動作について説明する。
【０００７】
まず、ＤＳＣ１で所望の被写体を撮影する。撮影された画像は、図２（ｂ）に示すように撮像部４で画像ファイルに変換され、ファイル名その他の情報を付加されて、記録媒体５に記録される。再生時は、記録媒体５に記録された画像ファイルを再生部６で再生して、表示部７に画像表示して画像を確認することができる。
【０００８】
次に、記録された画像データをプリント出力するためには、図２（ａ）に示すようにパソコン２に画像ファイルを転送する必要がある。パソコン２のデジタル画像用のアプリケーション・プログラムを起動して、ＤＳＣ１から画像データを取り込み、パソコン２のモニタ画面で画像を確認する。パソコン２は接続されたプリンタ３を制御して、プリント用画像データをプリンタ３に転送する。プリンタ３は、通信制御部８を通してパソコン２からの画像データをメモリ９に蓄えながら、プリント部１０で印画する。
【０００９】
【発明が解決しようとする課題】
しかしながら上記の従来の構成では、ＤＳＣ１で撮影した画像をプリント出力するには、パソコン２に画像データを転送してパソコン２の画像アプリケーションソフトウェアで画像をモニタに表示して確認する必要があるので、パソコン２を所持していない場合にはプリント出力できず、また所持していたとしてもプリント出力するまでに多くの操作と時間を必要とし、非常に煩雑であるという問題点を有していた。
【００１０】
本発明は上記従来の問題点を解決するもので、パソコンを介することなく、所望の画像データを簡単に印画できる画像ファイルのプリント出力システムを提供することを目的とする。
【００１１】
【課題を解決するための手段】
この目的を達成するために本発明のプリント出力システムは、内蔵メモリに記録された画像データを再生する再生部と、再生部で再生された画像データを表示する表示部と、表示部で表示された画像データから印画する画像データを選択する操作部とを備えるデジタルスチルカメラと、デジタルスチルカメラとケーブルにより接続され、内蔵メモリに記録された画像データおよび操作部で選択された画像データのプリント出力情報ファイルを読み出す読み出し手段と、読み出し手段で読み出されたプリント出力情報ファイルを解析する解析部と、読み出し手段で読み出された画像データを印画する印画部とを備えるプリンタとから構成され、読み出し手段がプリント出力情報ファイルをデジタルスチルカメラからケーブルを介して読み出すと、解析部は読み出し手段で読み出されたプリント出力情報ファイルを解析し、読み出し手段は解析部で解析された結果にしたがって内蔵メモリに記録された画像データをケーブルを介して読み出し、印画部は読み出し手段で読み出された画像データを印画するよう構成したことを特徴とするものである。
【００１２】
この構成によって、パソコンを介することなく、また業者にプリント出力を依頼する場合には画像ファイルの名前などの情報を紙などの別途媒体に記述することなく希望する画像ファイルを簡単に印画できる画像ファイルのプリント出力システムが得られる。
【００１３】
【発明の実施の形態】
本発明の請求項１に記載の発明は、内蔵メモリに記録された画像データを再生する再生部と、再生部で再生された画像データを表示する表示部と、表示部で表示された画像データから印画する画像データを選択する操作部とを備えるデジタルスチルカメラと、デジタルスチルカメラとケーブルにより接続され、内蔵メモリに記録された画像データおよび操作部で選択された画像データのプリント出力情報ファイルを読み出す読み出し手段と、読み出し手段で読み出されたプリント出力情報ファイルを解析する解析部と、読み出し手段で読み出された画像データを印画する印画部とを備えるプリンタとから構成され、読み出し手段がプリント出力情報ファイルをデジタルスチルカメラからケーブルを介して読み出すと、解析部は読み出し手段で読み出されたプリント出力情報ファイルを解析し、読み出し手段は解析部で解析された結果にしたがって内蔵メモリに記録された画像データをケーブルを介して読み出し、印画部は読み出し手段で読み出された画像データを印画するよう構成したことを特徴としたものであり、パソコンを介せずに撮像装置で撮影した画像データを印画装置で印画出力することができるという作用を有する。
【００１４】
本発明の請求項２に記載の発明は、内蔵メモリが画像データを記録する第１のステップと、デジタルスチルカメラの再生部が内蔵メモリに記録された画像データを再生する第２のステップと、デジタルスチルカメラの表示部が再生部で再生された画像データを表示する第３のステップと、デジタルスチルカメラの操作部が、表示部に表示された画像データの中から印画する画像データを選択する第４のステップと、プリンタの読み出し手段が、操作部で選択された画像データのプリント出力情報ファイルをデジタルスチルカメラからケーブルを介して読み出す第５のステップと、プリンタの解析部が、読み出し手段で読み出されたプリント出力情報ファイルを解析する第６のステップと、読み出し手段が、解析部で解析された結果にしたがって、内蔵メモリに記録された画像データをケーブルを介して読み出す第７のステップと、プリンタの印画部が、読み出し部で読み出された画像データを印画する第８のステップとを有するプリント出力方法である。
【００１５】
本発明の請求項３に記載の発明は、プリンタとケーブルで接続されるデジタルスチルカメラにおいて、内蔵メモリに記録された画像データを再生する再生部と、再生部で再生された画像データを表示する表示部と、表示部で表示された画像データから印画する画像データを選択する操作部とを備え、プリンタによって、操作部で選択された画像データのプリント出力情報ファイルがケーブルを介して読み出されると、ケーブルを介して読み出されたプリント出力情報ファイルが解析され、内蔵メモリに記録された画像データがプリント出力情報ファイルの解析結果にしたがってケーブルを介して読み出されるよう構成したことを特徴とするものである。
本発明の請求項４に記載の発明は、デジタルスチルカメラとケーブルで接続されるプリンタにおいて、デジタルスチルカメラの内蔵メモリに記録された画像データおよび内蔵メモリに記録された画像データの中から選択された画像データのプリント出力情報ファイルをケーブルを介して読み出す読み出し手段と、読み出し手段で読み出されたプリント出力情報ファイルを解析する解析部と、読み出し手段で読み出された画像データを印画する印画部とを備え、読み出し手段がデジタルスチルカメラからプリント出力情報ファイルをケーブルを介して読み出すと、解析部は読み出し手段で読み出されたプリント出力情報ファイルを解析し、読み出し手段は解析部で解析された結果にしたがって内蔵メモリに記録された画像データを読み出し、印画部は読み出し手段で読み出された画像データを印画するよう構成したことを特徴とするものである。
【００１６】
以下、本発明の実施の形態について、図１を用いて説明する。
（実施の形態１）
図１（ａ）は本実施の形態の画像ファイルのプリント出力システムの構成図であり、図１（ａ）において、１１は被写体の撮影を行う撮像装置であるＤＳＣ、１２はＤＳＣ１１で撮影した画像データの印画を行う印画装置であるプリンタ、１３はＤＳＣ１１で画像データを記録する記録媒体で、例えばコンパクトフラッシュカードやフロッピーディスクなどからなる。また、記録媒体１３はＤＳＣ１１とプリンタ１２に着脱可能であることが画像ファイルとプリント出力情報ファイルの転送速度の点から好ましい。
【００１７】
図１（ｂ）は本実施の形態におけるＤＳＣのブロック図を示すものである。図１（ｂ）において、１４はレンズから入力した画像データを処理する撮像部、１３は撮像部１４で撮像された画像データを記録する記録媒体、１６は記録媒体１３に記録された画像データを再生する再生部、１７は撮像部１４で撮影された画像や再生部１６で再生した画像を表示する表示部、１８は再生された画像データから所望の画像データの情報を登録するよう操作する操作部である。
【００１８】
図１（ｃ）は本実施の形態におけるプリンタのブロック図である。図１（ｃ）において、１３はプリンタ１２に着脱可能な記録媒体、２０は記録媒体１３から画像データを読み出す読み出し手段であるリード部、２１はリード部２０で読み出したプリント出力情報ファイルを解析する解析部、２２はリード部２０で読み出した画像データから印画する画像データを記憶する記憶手段であるメモリ、２３はメモリ２２で記憶した画像データを印画するプリント部である。
【００１９】
以上のように構成された本実施の形態の画像ファイルのプリント出力システムについて、その動作を説明する。
【００２０】
まず、ＤＳＣ１１で所望の被写体を撮影する。撮影された画像は、撮像部１４で画像ファイルに変換され、ファイル名その他の情報を付加されて記録媒体１３に記録される。ここで、記録媒体１３に記録されている画像データを再生部１６で再生して、表示部１７で画像を確認することができ、プリント出力したい画像データを操作部１８で選択操作することにより、その印画希望情報が記録媒体１３に登録される。
【００２１】
記録媒体１３はＤＳＣ１１やプリンタ１２に対して着脱可能で、ＤＳＣ１１で撮影後に離脱してプリンタ１２に装着して使用する。リード部２０は最初に装着された記録媒体１３に登録されているプリント出力情報ファイルを読み出し、解析部２１でその内容を解析する。次に、解析部２１での解析結果に従って記録媒体から画像ファイルを読み出して、メモリ２２に蓄えながらプリント部２３で印画する。プリント出力情報ファイルに登録されている画像データを全てプリント出力するまで、解析部２１での解析と記録媒体１３からの読み出しとプリント部２３による印画を繰り返す。
【００２２】
以上のように本実施の形態によれば、画像ファイルを再生してプリント出力したい画像ファイルの情報を登録できるＤＳＣ１１と、ＤＳＣ１１で登録した画像ファイルの情報を解析してプリント出力するプリンタ１２と、ＤＳＣ１１とプリンタ１２とに着脱可能でデータのやりとりを行う記録媒体１３を設けることにより、従来のようにパソコンを介さずに画像データをプリント出力することができ、また、印画業者にプリント出力を依頼する場合には画像ファイルの名前などの情報を紙などの別途媒体に記述することなく所望の画像ファイルを簡単に印画できる。
【００２３】
なお、以上の説明では記録媒体１３は着脱可能としたが、ＤＳＣ１１への内蔵メモリとし、各々をケーブル等で接続し、データの転送を行うようにする。
【００２４】
【発明の効果】
以上のように本発明は、所望の画像データを簡単に印画できるという優れた効果が得られる。
【図面の簡単な説明】
【図１】（ａ）本発明の実施の形態における画像ファイルの出力システムのブロック図
（ｂ）同実施の形態における動作説明のためのＤＳＣのブロック図
（ｃ）同実施の形態における動作説明のためのプリンタのブロック図
【図２】（ａ）従来の画像ファイルの出力システムのブロック図
（ｂ）従来の画像ファイルの出力システムにおける動作説明のためのＤＳＣのブロック図
（ｃ）従来の画像ファイルの出力システムにおける動作説明のためのプリンタのブロック図
【符号の説明】
１１  ＤＳＣ
１２  プリンタ
１３  記録媒体
１４  撮像部
１６  再生部
１７  表示部
１８  操作部
２０  リード部
２１  解析部
２２  メモリ
２３  プリント部
【図１】
0003798124.tif 000002
【図２】
0003798124.tif 000003